(57)【特許請求の範囲】
【請求項１】
流体管同士又は流体管と貯留タンクや処理装置等を接続する流体管コネクタ用プラグにおいて、
後方が固定されて前方から流体を吹き出すプラグ部と、
上記流体管の先端部を周方向外方へフランジ状に拡大して形成された固定板部と、
上記プラグ部の端面との間で上記固定板部を挟んで固定し上記流体管の先端部を支持する固定部と、
この固定部に一体的に設けられ上記流体管の外形よりも大きい内径に設定してこの流体管との間に隙間を設けて流体管がその先端部を上記固定部で支持された状態で当該流体管が自己の重さで撓んだときに当該流体管に接触して上記先端部と共に当該流体管を２カ所で支持する支持筒部と、
上記プラグ部及び上記固定部を覆ってこれらを固定する固定用ナットとを備えて構成されたことを特徴とする流体管コネクタ用プラグ。
【請求項２】
請求項１に記載の流体管コネクタ用プラグにおいて、
外周に段差を付けて、ロック機構の係止面を設けたことを特徴とする流体管コネクタ用プラグ。
【請求項３】
請求項１又は２に記載の流体管コネクタ用プラグにおいて、
上記プラグ部の先端に設けられ、相手側と押し合って押し込まれることで開放して流体通路を連通させるバルブを備えたことを特徴とする流体管コネクタ用プラグ。
【請求項４】
請求項１乃至３のいずれか１項に記載の流体管コネクタ用プラグにおいて、
上記固定用ナットの外周面に、誤って取り付けられるのを防止する長溝を備えたことを特徴とする流体管コネクタ用プラグ。
【請求項５】
流体管同士又は流体管と貯留タンクや処理装置等を接続する流体管コネクタ用プラグにおいて、
後方が固定されて前方から流体を吹き出すと共に外周にネジ山が設けられたプラグ部と、
上記流体管の先端部を周方向外方へフランジ状に拡大して形成された固定板部と、
内周にネジ溝が形成されて上記プラグ部にねじ込まれてその端面との間で上記固定板部を挟んで固定し上記流体管の先端部を支持する固定部と、
この固定部に一体的に設けられ上記流体管の外形よりも大きい内径に設定してこの流体管との間に隙間を設けて流体管がその先端部を上記固定部で支持された状態で当該流体管が自己の重さで撓んだときに当該流体管に接触して上記先端部と共に当該流体管を２カ所で支持する支持筒部とを備えて構成されたことを特徴とする流体管コネクタ用プラグ。
【発明の詳細な説明】
【０００１】
【発明の属する技術分野】
本発明は、流体管同士又は流体管と貯留タンクや処理装置等を接続する流体管コネクタに用いる流体管コネクタ用プラグに関する。
【０００２】
【従来の技術】
薬液等を貯める貯留タンクや処理装置等に、その薬液等を流す流体管を接続する流体管コネクタとしては、一般にフランジ構造のものが知られている。この流体管コネクタ１は、図２に示すように、貯留タンク側の流体管２の端部に設けられた一側連結部３と、プラグ本体４に設けられた他側連結部５とから構成されている。これら一側連結部３と他側連結部５には固定用フランジ６，７が設けられている。そして、各固定用フランジ６，７がボルト８で互いに固定されて、流体管２とプラグ本体４とが連結されている。
【０００３】
流体管２は、薬液等を安全に流すために、内側チューブ、中間チューブ及び外側チューブからなって十分な肉厚を有すると共に、外側チューブはステンレス鋼の網材で構成されている。このため、流体管２は相当な重量になっている。
【０００４】
【発明が解決しようとする課題】
ところで、上記構成の流体管コネクタ１では、ボルト８で固定用フランジ６，７を締め付けて一側連結部３と他側連結部５とを連結しているが、流体管２が重いため、一側連結部３と他側連結部５との連結が緩んでしまうことがある。即ち、流体管２の重さによって、各固定用フランジ６，７の上側で開く方向に力が作用して一側連結部３と他側連結部５との連結が緩んでしまうことがあり、十分な注意を払わなければならないという問題点がある。
【０００５】
本発明はこのような問題点に鑑みてなされたもので、重い流体管を支えて確実に連結できる流体管コネクタ用プラグを提供することを目的とする。
【０００６】
【課題を解決するための手段】
第１の発明に係る流体管コネクタ用プラグは、流体管同士又は流体管と貯留タンクや処理装置等を接続する流体管コネクタ用プラグにおいて、後方が固定されて前方から流体を吹き出すプラグ部と、上記流体管の先端部を周方向外方へフランジ状に拡大して形成された固定板部と、上記プラグ部の端面との間で上記固定板部を挟んで固定し上記流体管の先端部を支持する固定部と、この固定部に一体的に設けられ上記流体管の外形よりも大きい内径に設定してこの流体管との間に隙間を設けて流体管がその先端部を上記固定部で支持された状態で当該流体管が自己の重さで撓んだときに当該流体管に接触して上記先端部と共に当該流体管を２カ所で支持する支持筒部と、上記プラグ部及び上記固定部を覆ってこれらを固定する固定用ナットとを備えて構成されたことを特徴とする。
【０００７】
上記構成により、プラグ部と固定部を固定用ナットで覆うようにして固定するため、流体管コネクタ用プラグを小型にすることができ、扱いやすくなる。また、支持筒部と流体管との間に隙間を設けて、固定部と支持筒部の２カ所で流体管を支持するため、流体管が鋭角的に折れ曲がることがなくなる。さらに、支持筒部で流体管を支持して、プラグ部と固定部とで挟んで固定した固定板部の部分で流体管が大きく撓むことがなくなり、この部分での緩みを防止することができる。
【０００８】
第２の発明に係る流体管コネクタ用プラグは、第１の発明に係る流体管コネクタ用プラグにおいて、外周に段差を付けて、ロック機構の係止面を設けたことを特徴とする。
【０００９】
上記構成により、流体管コネクタ用プラグの外周の係止面にロック機構が係止して、流体管コネクタ用プラグを確実に固定することができる。
【００１０】
第３の発明に係る流体管コネクタ用プラグは、第１又は第２の発明に係る流体管コネクタ用プラグにおいて、上記プラグ部の先端に設けられ、相手側と押し合って押し込まれることで開放して流体通路を連通させるバルブを備えたことを特徴とする。
【００１１】
上記構成により、バルブが相手側に接触して押し合わない限り、プラグ部が開放されることはない。これにより、取り扱い上の安全性が確保される。
【００１２】
第４の発明に係る流体管コネクタ用プラグは、第１乃至第３の発明のいずれかに係る流体管コネクタ用プラグにおいて、上記固定用ナットの外周面に、誤って取り付けられるのを防止する長溝を備えたことを特徴とする。
【００１３】
上記構成により、長溝が相手側と整合しない限り、流体管コネクタ用プラグを相手側に差し込むことはできず、この流体管コネクタ用プラグを誤って取り付けることがなくなる。
【００１４】
第５の発明に係る流体管コネクタ用プラグは、流体管同士又は流体管と貯留タンクや処理装置等を接続する流体管コネクタ用プラグにおいて、後方が固定されて前方から流体を吹き出すと共に外周にネジ山が設けられたプラグ部と、上記流体管の先端部を周方向外方へフランジ状に拡大して形成された固定板部と、内周にネジ溝が形成されて上記プラグ部にねじ込まれてその端面との間で上記固定板部を挟んで固定し上記流体管の先端部を支持する固定部と、この固定部に一体的に設けられ上記流体管の外形よりも大きい内径に設定してこの流体管との間に隙間を設けて流体管がその先端部を上記固定部で支持された状態で当該流体管が自己の重さで撓んだときに当該流体管に接触して上記先端部と共に当該流体管を２カ所で支持する支持筒部とを備えて構成されたことを特徴とする。
【００１５】
上記構成により、プラグ部のネジ山に固定部をねじ込んで流体管の端部の固定板部を固定することで、部品点数が減り、流体管コネクタ用プラグの外径を小さくすることができる。
【００１６】
【発明の実施の形態】
以下、本発明に係る流体管コネクタ用プラグについて、添付図面を参照しながら説明する。
【００１７】
［第１実施形態］
以下、第１実施形態に係る流体管コネクタ用プラグについて、図１及び図３〜図１０を基に説明する。
【００１８】
流体管コネクタ１１は、流体管同士又は流体管と貯留タンクや処理装置等を接続するための部材であり、主に、雌側連結部１２と、雄側連結部としての流体管コネクタ用プラグ１３とから構成されている。
【００１９】
雌側連結部１２は、図３〜図５に示すように主に、雌側プラグ部１５と、ハウジング１６とから構成されている。
【００２０】
雌側プラグ部１５は主に、インナーパイプ１８と、シャワーリング１９と、バルブ２０とから構成されている。
【００２１】
インナーパイプ１８は、外部配管２２とシャワーリング１９とを接続するための部材である。このインナーパイプ１８は、後述するスライダー部４２内に装着され、その基端部（図４中の右側端部）に外部配管２２が、その先端部にシャワーリング１９がそれぞれ接続されている。外部配管２２は、流体管同士を接続する場合の一方の流体管、又は流体管と貯留タンクや処理装置等を接続する場合の貯留タンクや処理装置側の配管である。この外部配管２２の端部には配管側フランジ部２４が設けられている。この配管側フランジ部２４が、インナーパイプ１８側の固定用フランジ部２６と押え板２７とで挟まれてボルト２８で固定されることで、外部配管２２がインナーパイプ１８に連結されるようになっている。
【００２２】
シャワーリング１９は、流体管コネクタ用プラグ１３を受け入れる嵌合部を形成する部材で、全体がほぼ筒状に形成されている。このシャワーリング１９の基端側は、雌側連結部１２の流体通路の一部を構成している。シャワーリング１９の中央部には、バルブ２０の弁座３０が形成されている。シャワーリング１９の先端側は、流体管コネクタ用プラグ１３の先端部がはまり込む嵌合筒部３１になっている。この嵌合筒部３１の内側形状は、流体管コネクタ用プラグ１３の先端部と同じ形状になっている。さらに、嵌合筒部３１の内側面には、Ｏリング３２が取り付けられている。このＯリング３２は、嵌合筒部３１に流体管コネクタ用プラグ１３がはめ込まれたときに、流体管コネクタ用プラグ１３の先端部をシールするための部材である。シャワーリング１９の基端にはネジ部１９Ａが設けられている。このネジ部１９Ａがスライダー部４２にねじ込まれて、これらシャワーリング１９とスライダー部４２とが一体的に結合されている。
【００２３】
さらに、シャワーリング１９の嵌合筒部３１には洗浄管３４が接続されている。この洗浄管３４は、雌側連結部１２及び流体管コネクタ用プラグ１３の各バルブ２０，６２の部分を洗浄するための部材である。即ち、雌側連結部１２に流体管コネクタ用プラグ１３が挿入されて完全に連結される前に、洗浄管３４から雌側連結部１２及び流体管コネクタ用プラグ１３の各バルブ２０，６２の部分に純水や洗浄用薬液を噴出させて、雌側連結部１２及び流体管コネクタ用プラグ１３の先端部を洗浄するようになっている。洗浄後の純水等はハウジング１６のシリンダ部４３に設けられたドレン管３５から外部に排出される。
【００２４】
バルブ２０は、雌側連結部１２の流通通路の先端を開閉するための部材である。このバルブ２０は、皿状に形成され、シャワーリング１９の弁座３０に、スプリング３７によって付勢された状態で取り付けられている。バルブ２０のうち弁座３０への当接部にはＯリング３８が設けられて、バルブ２０と弁座３０の間をシールしている。このＯリング３８に隣接する内側には連通孔３９が複数設けられている。この連通孔３９は、バルブ２０が弁座３０から離れた状態で薬液等を通して、雌側連結部１２と流体管コネクタ用プラグ１３との間を連通させるようになっている。バルブ２０の先端には開閉突起４０が形成されている。この開閉突起４０は、後述する流体管コネクタ用プラグ１３の開閉突起７６に当接するための部材である。開閉突起４０が流体管コネクタ用プラグ１３の開閉突起７６に当接してバルブ６２と押し合うことで、バルブ２０が押し込まれて弁座３０から離れて開弁するようになっている。なお、流体管コネクタ用プラグ１３においても同様に作用して、雌側連結部１２と流体管コネクタ用プラグ１３との間で流体通路が連通される。
【００２５】
ハウジング１６は、雌側プラグ部１５を一体的に支持すると共に、嵌合された流体管コネクタ用プラグ１３を支持するための部材である。このハウジング１６は、スライダー部４２と、シリンダ部４３とから構成されている。
【００２６】
スライダー部４２は、シリンダ部４３に往復動可能に挿入されている。このスライダー部４２には雌側プラグ部１５のインナーパイプ１８及びシャワーリング１９が一体的に取り付けられている。これにより、スライダー部４２の往復動と共にインナーパイプ１８及びシャワーリング１９が往復動して、雌側連結部１２と流体管コネクタ用プラグ１３とが完全に連結されたり切り離されたりするようになっている。なお、完全な連結とは、各バルブ２０，６２が開いて雌側連結部１２側と流体管コネクタ用プラグ１３側の流体通路が連通されることをいう。
【００２７】
スライダー部４２の先端にはピストン部４５が形成されている。このピストン部４５は、シリンダ部４３内の後述する可動空間４６内を往復動できるようになっている。
【００２８】
シリンダ部４３は、スライダー部４２及びシャワーリング１９を往復動可能に支持すると共に、嵌合された流体管コネクタ用プラグ１３を直接支持して固定するための部材である。スライダー部４２及びシャワーリング１９の外径は同じ寸法に設定され、シリンダ部４３の内径は全長に亘ってスライダー部４２等の外径と同じ寸法に設定されている。これにより、スライダー部４２等はシリンダ部４３内で往復動可能になっている。なお、シリンダ部４３の中央付近はその内径を拡大して可動空間４６が形成されている。この可動空間４６内には、スライダー部４２のピストン部４５が挿入されて左右に往復動できるようになっている。可動空間４６には、その両端部に空気圧供給管４９，５０が接続されている。この空気圧供給管４９，５０から可動空間４６の両端に選択的に空気圧が供給されてピストン部４５の左右の空気圧が適宜調整され、ピストン部４５が左右に移動されるようになっている。このピストン部４５の移動によって、雌側連結部１２と流体管コネクタ用プラグ１３とが完全に連結されたり、解除されたりする。なお、ピストン部４５の外周にはＯリング４７が設けられ、ピストン部４５の外周面と可動空間４６の内周面との間をシールしている。
【００２９】
シリンダ部４３の一端部（図３中の左端部）には、ロックレバー５２と、ロックレバーセンサ５３と、プラグセンサ５４と、キーボルト５５とがそれぞれ設けられている。
【００３０】
ロックレバー５２は、流体管コネクタ用プラグ１３を雌側連結部１２に固定するためのロック機構である。このロックレバー５２は、作業者が手で持って回すためのレバー部５６と、レバー部５６の回動によって後述する流体管コネクタ用プラグ１３の係止面７９に係止したり解除したりするほぼ半円状の係止片５７とから構成されている。
【００３１】
ロックレバーセンサ５３は、ロックレバー５２によって流体管コネクタ用プラグ１３が雌側連結部１２側に固定されたか否かを検知するためのセンサである。このロックレバーセンサ５３は、ロックレバー５２のレバー部５６がロック状態（図５中の仮想線の状態）のときにそのレバー部５６の存在を検知する光センサ等によって構成されている。
【００３２】
プラグセンサ５４は、流体管コネクタ用プラグ１３が雌側連結部１２内に装着されているか否かを検知するセンサである。このプラグセンサ５４は、流体管コネクタ用プラグ１３が雌側連結部１２内に装着されたときにその流体管コネクタ用プラグ１３の存在を検知する光センサ等によって構成されている。
【００３３】
キーボルト５５は、後述する流体管コネクタ用プラグ１３の長溝８３に嵌合することで、流体管コネクタ用プラグ１３の雌側連結部１２内への挿入を許容するためのボルトである。このキーボルト５５は、複数のボルト穴に複数個設けられている。このキーボルト５５の取り付け位置及び個数は、薬液等の種類に応じて適宜設定されている。これにより、キーボルト５５と長溝８３が整合する場合しか流体管コネクタ用プラグ１３が雌側連結部１２内に挿入できないようにして、接続ミスを防止している。
【００３４】
流体管コネクタ用プラグ１３は、流体管６０の先端部に取り付けられて雌側連結部１２に嵌合し、流体管同士又は流体管と貯留タンクや処理装置等を接続するための部材である。この流体管コネクタ用プラグ１３は、図１に示すように、プラグ部６１と、バルブ６２と、管支持部６３と、固定用ナット６４と、回止めナット６５とから構成されている。
【００３５】
プラグ部６１は、雌側連結部１２のシャワーリング１９内に直接挿入されて、雌側連結部１２に流体管コネクタ用プラグ１３を連結させるための部材である。このプラグ部６１は、図１及び図６に示すように、ほぼ筒状に形成され、その先端開口部にバルブ６２の弁座６７が形成されている。プラグ部６１の長手方向（図中の左右方向）の中央部の外周には、既存のロック機構に嵌合して固定されるための環状溝６８が形成されている。プラグ部６１の基端部には、固定用ナット６４が係止される拡径段部６９が形成されている。この拡径段部６９の端面（図中の右側端面）７０には、流体通路をシールするためのＯリング７１が設けられている。
【００３６】
バルブ６２は、プラグ部６１の先端開口部を開閉するための部材である。このバルブ６２は、皿状に形成され、プラグ部６１の弁座６７に、スプリング７３によって付勢された状態で取り付けられている。バルブ６２のうち弁座６７への当接部にはＯリング７４が設けられて、バルブ６２と弁座６７との間をシールしている。バルブ６２のうちＯリング７４の内側には連通孔７５が複数設けられている。この連通孔７５は、バルブ６２が弁座６７から離れた状態で、薬液等を通して、雌側連結部１２と流体管コネクタ用プラグ１３との間を連通されるようになっている。バルブ６２の先端には、雌側連結部１２側のバルブ２０の開閉突起４０と押し合って、バルブ６２を弁座６７から離すための開閉突起７６が形成されている。なお、７７はスプリング７３の基端部を支持するストッパーである。
【００３７】
管支持部６３は、流体管６０の先端部を固定支持すると共に、先端から一定距離（例えば１０ｃｍ程度）を支持するための部材である。この管支持部６３は、図１及び図７に示すように、固定部７８と、係止面７９と、支持筒部８０とから構成されている。
【００３８】
固定部７８は、その外径を固定用ナット６４及び回止めナット６５の内径に合わせた寸法に形成されている。固定部７８の外周にはネジ山が形成されている。この固定部７８のネジ山に固定用ナット６４及び回止めナット６５がねじ込まれるようになっている。固定部７８の先端（図中の左側端）には固定面８２が形成されている。この固定面８２は、固定部７８の先端を縮径させて形成され、プラグ部６１の端面７０との間に流体管６０の端部を挟んで固定するようになっている。
【００３９】
係止面７９は、ロックレバー５２の係止片５７が係止して流体管コネクタ用プラグ１３を雌側連結部１２に固定するための部位である。この係止面７９は、大径の固定部７８と小径の支持筒部８０との境に形成されている。
【００４０】
支持筒部８０は流体管６０を支持するための部材である。流体管６０は、その先端部がプラグ部６１の端面７０と固定部７８の固定面８２との間で挟まれて固定されるだけなので、流体管６０がその重さで撓んだときに、緩みやすくなる。これを防止するため、支持筒部８０で流体管６０の先端部から１０ｃｍ程度を支持する。この支持筒部８０によって流体管６０が支持されると、流体管６０の先端部はほとんど撓むことがなくなり、上記端面７０と固定面８２とで固定された部分が緩むのを防止する。この支持筒部８０は、流体管６０の外径よりも少し大きい内径の筒体で構成されている。これにより、支持筒部８０と流体管６０との間にあそびが設けられている。このあそびによって流体管６０が緩やかに支持されて鋭角的に折れ曲がらないようになっている。さらに、支持筒部８０は、作業者が手で持つためのホルダーとなっている。
【００４１】
固定用ナット６４は、プラグ部６１と管支持部６３とを一体的に固定するための部材である。この固定用ナット６４は、図１及び図８〜図１０に示すように構成されている。固定用ナット６４の基端側（図中の右側）の内側面には、固定部７８のネジ山にはまり込むネジ溝６４Ａが形成されている。固定用ナット６４の先端側の内径はプラグ部６１の拡径段部６９の外径とほぼ同じ寸法に設定されている。固定用ナット６４の先端部は、縮径させて形成され、拡径段部６９を包み込んで支持するようになっている。これにより、固定用ナット６４が、その先端部で拡径段部６９を包み込んで支持した状態で、基端側が固定部７８のねじ山にねじ込まれることで、プラグ部６１と管支持部６３とが一体的に固定される。固定用ナット６４の外周面には、長溝８３が設けられている。この長溝８３は、固定用ナット６４の長手方向（図１中の左右方向）へ切り欠いて設けられている。この長溝８３の本数及び設置位置は、薬液等の種類に応じて設定され、接続ミスを防止している。なお、６４Ｂは、固定用ナット６４を締め付けるための二面取りである。
【００４２】
回止めナット６５は、固定部７８のネジ山にねじ込まれて固定用ナット６４に圧接されることで、固定用ナット６４が回って緩むのを防止する。
【００４３】
流体管６０は、図１及び図７に示すように、ＰＦＡ製の内側チューブ８４と、合成樹脂製の中間チューブ８５（図１１参照）と、ステンレス鋼の網材で形成された外側チューブ８６とから構成されている。流体管６０の先端には固定板部８７が形成されている。この固定板部８７は、流体管６０の先端に取り付けられ、周方向外方へフランジ状に拡大して形成されている。この固定板部８７では中間チューブ８５及び外側チューブ８６は剥がされている。これにより、内側チューブ８４がフランジ状の固定板部８７に沿って外方へフランジ状に拡大して形成されている。この固定板部８７及び内側チューブ８４がプラグ部６１と管支持部６３とで挟まれて固定されている。
【００４４】
流体管６０の基端には固定用フランジ部８９が形成されている。この固定用フランジ部８９にはボルト穴９０が複数個設けられ、貯留タンクや各種の処理装置側の配管に形成された固定用フランジ部（図示せず）と結合され、ボルトで固定される。
【００４５】
［作用］
以上のように構成された流体管コネクタ１１は次のように作用する。
【００４６】
まず、流体管コネクタ用プラグ１３を雌側連結部１２のシリンダ部４３内に挿入して、ロックレバー５２のレバー部５６をロック位置まで回す。これにより、係止片５７が回転されて流体管コネクタ用プラグ１３の係止面７９に係止する。この状態で、流体管コネクタ用プラグ１３が雌側連結部１２側に固定される。なお、流体管コネクタ用プラグ１３を雌側連結部１２内に挿入するとき、長溝８３とキーボルト５５を合わせる。これらが合わない場合には、流体管コネクタ用プラグ１３を雌側連結部１２に接続することはできず、結局、流体管コネクタ用プラグ１３の接続を誤ったことになる。
【００４７】
雌側連結部１２内では、空気圧供給管５０から可動空間４６内に空気圧が供給されて、スライダー部４２と共にシャワーリング１９が基端側へ移動されて、図３中の実線の状態になっている。これにより、雌側連結部１２側のバルブ２０と流体管コネクタ用プラグ１３側のバルブ６２との間がある程度開いて空間が形成されている。
【００４８】
次いで、洗浄管３４から純水が噴出されて、流体管コネクタ用プラグ１３及び雌側連結部１２の各バルブ２０，６２の部分が洗浄される。なお、ロックレバーセンサ５３でロックレバー５２を検知し、プラグセンサ５４で流体管コネクタ用プラグ１３を検知していないときは、洗浄管３４から純水等が噴出しないよになっている。即ち、ロックレバーセンサ５３でロックレバー５２を検知し、プラグセンサ５４で流体管コネクタ用プラグ１３を検知したときのみ純水が噴出するようになっている。
【００４９】
次いで、空気圧供給管４９から可動空間４６内に空気圧が供給されて、シャワーリング１９が、図３中の仮想線の位置まで移動される。これにより、流体管コネクタ用プラグ１３側のバルブ６２の開閉突起７６と雌側連結部１２側のバルブ２０の開閉突起４０とが当接して互いに押し合って先端部が開かれる。これにより、流体管コネクタ用プラグ１３と雌側連結部１２の流体通路が互いに連通され、流体がそれらの間を流れて、貯留タンクや処理装置等へ供給されたり、回収されたりする。
【００５０】
このとき、流体管６０は、管支持部６３の支持筒部８０が緩やかに支持されている。このため、接続作業等の際に作業者が支持筒部８０を持って流体管６０を引き回したり、接続後に、流体管６０自体の重さやその中を通される薬液等の重さで流体管６０が下方へ撓んでも、固定板部８７の部分では、ほとんど撓まずにプラグ部６１の端面７０と固定部７８の固定面８２とで固定される。
【００５１】
流体管コネクタ用プラグ１３を雌側連結部１２から取り外すときは、まず空気圧供給管５０から可動空間４６内に空気圧を供給してスライダー部４２を移動させて、雌側連結部１２と流体管コネクタ用プラグ１３の流体通路を切り離す。次いで、洗浄管３４から純水等を噴出させてバルブ６２等に付着した液体を洗浄した後、ロックレバー５２のレバー部５６を回してロックを解除し、流体管コネクタ用プラグ１３を雌側連結部１２から引き抜く。
【００５２】
［効果］
以上のように、プラグ部６１と固定部７８を固定用ナット６４で覆うようにして固定するため、流体管コネクタ用プラグ１３を小型にすることができ、扱いやすくなる。
【００５３】
また、管支持部６３の支持筒部８０で流体管６０を緩やかに支持するため、流体管６０が鋭角的に折れ曲がって破損したりすることがなくなる。
【００５４】
さらに、支持筒部８０で流体管６０を支持して、プラグ部６１と固定部７８とで挟んだ固定板部８７の部分で流体管６０が大きく撓むことがなくなるので、この部分での緩みを確実に防止することができる。
【００５５】
流体管コネクタ用プラグ１３の管支持部６３に係止面７９を設けたので、この係止面７９にロックレバー５２の係止片５７が係止して、流体管コネクタ用プラグ１３を雌側連結部１２に確実に固定することができる。
【００５６】
プラグ部６１の先端部にバルブ６２を設けたので、バルブ６２が相手側である雌側連結部１２のバルブ２０に接触して押し合わない限り、プラグ部６１が開放されることはなく、取り扱い上の安全性が向上する。
【００５７】
また、固定用ナット６４の外周面に長溝８３を設けたので、長溝８３が相手側である雌側連結部１２のキーボルト５５と整合しない限り、流体管コネクタ用プラグ１３を雌側連結部１２に差し込むことはできず、この流体管コネクタ用プラグ１３を誤って取り付けることがなくなり、取り扱い上の安全性が向上する。
【００５８】
［第２実施形態］
次に本発明の第２実施形態について図１１を基に説明する。本実施形態の流体管コネクタ用プラグの特徴は、上記第１実施形態の固定用ナット６４を設けずに、管支持部６３に直接ネジ溝を形成して部品点数を減らした点にある。他の構成は上記第１実施形態の流体管コネクタ用プラグ１３とほぼ同様であるため、同一部分には同一符号を付してその説明を省略する。
【００５９】
本実施形態では、プラグ部１０１の基端部外周に直接ネジ山を形成している。プラグ部１０１の基端面は、固定板部８７を挟んで固定する端面１０２になっている。
【００６０】
管支持部１０３は、固定部１０４と、係止面１０５と、支持筒部１０６とから構成されているが、固定部１０４の内側面にはネジ溝が形成されて、プラグ部１０１の基端に直接ねじ込まれて、これらが一体的に固定されている。さらに、回止めナット１０８が締め付けられて固定部１０４が緩むのを防止している。
【００６１】
係止面１０５及び支持筒部１０６は、上記第１実施形態の係止面７９及び支持筒部８０と同様の構成を有している。
【００６２】
プラグ部１０１の端面１０２との間で固定板部８７を固定する固定面１０７は、係止面１０５の裏面に形成されている。
【００６３】
以上のように構成された流体管コネクタ用プラグの場合も、上記第１実施形態同様の作用によって雌側連結部１２に連結され、同様の効果を奏する。
【００６４】
【発明の効果】
以上、詳述したように本発明によれば、次のような効果を奏する。
【００６５】
プラグ部と固定部を固定用ナットで覆うようにして固定するため、流体管コネクタ用プラグを小型で計量にすることができる。この結果、扱いやすくなる。
【００６６】
また、支持筒部で流体管を緩やかに支持するため、流体管が鋭角的に折れ曲がって破損したりすることがなくなる。
【００６７】
さらに、支持筒部で流体管を支持して、プラグ部と固定部とで挟んだ固定板部の部分で流体管が大きく撓むことがなくなるので、この部分での緩みを確実に防止することができる。
【００６８】
流体管コネクタ用プラグにロック機構の係止面を設けたので、この係止面にロック機構が係止して、流体管コネクタ用プラグを雌側連結部に確実に固定することができる。
【００６９】
プラグ部の先端部にバルブを設けたので、バルブが相手側である雌側連結部のバルブに接触して押し合わない限り、プラグ部が開放されることはなく、取り扱い上の安全性が向上する。
【００７０】
また、固定用ナットの外周面に長溝を設けたので、長溝が相手側である雌側連結部と整合しない限り、流体管コネクタ用プラグを雌側連結部に差し込むことはできず、この流体管コネクタ用プラグを誤って取り付けることがなくなり、取り扱い上の安全性が向上する。
【図面の簡単な説明】
【図１】本発明の第１実施形態に係る流体管コネクタ用プラグを示す正面断面図である。
【図２】従来の流体管コネクタ用プラグを示す正面図である。
【図３】本発明の第１実施形態に係る雌側連結部を示す正面断面図である。
【図４】本発明の第１実施形態に係る雌側連結部を示す平面図である。
【図５】本発明の第１実施形態に係る雌側連結部を示す左側面図である。
【図６】本発明の第１実施形態に係る流体管コネクタ用プラグのプラグ部を示す正面断面図である。
【図７】本発明の第１実施形態に係る流体管コネクタ用プラグの流体管及び管支持部を示す正面図である。
【図８】本発明の第１実施形態に係る流体管コネクタ用プラグの固定用ナットを示す正面断面図である。
【図９】本発明の第１実施形態に係る流体管コネクタ用プラグの固定用ナットを示す側面図である。
【図１０】図１のＡ−Ａ線矢視断面図である。
【図１１】本発明の第２実施形態に係る流体管コネクタ用プラグを示す正面断面図である。
【符号の説明】
１１：流体管コネクタ、１２：雌側連結部、１３：流体管コネクタ用プラグ、１５：雌側プラグ部、１６：ハウジング、１８：インナーパイプ、１９：シャワーリング、２０：バルブ、２２：外部配管、２４：配管側フランジ部、２６：固定用フランジ部、２７：押え板、２８：ボルト、３０：弁座、３１：嵌合筒部、３２：Ｏリング、３４：洗浄管、３５：ドレン管、３７：スプリング、３８：Ｏリング、３９：連通孔、４０：開閉突起、４２：スライダー部、４３：シリンダ部、４５：ピストン部、４６：可動空間、４７：Ｏリング、４９，５０：空気圧供給管、５２：ロックレバー、５３：ロックレバーセンサ、５４：プラグセンサ、５５：キーボルト、５６：レバー部、５７：係止片、６０：流体管、６１：プラグ部、６２：バルブ、６３：管支持部、６４：固定用ナット、６５：回止めナット、６７：弁座、６８：環状溝、６９：拡径段部、７０：端面、７１：Ｏリング、７４：Ｏリング、７５：連通孔、７６：開閉突起、７８：固定部、７９：係止面、８０：支持筒部、８２：固定面、８３：長溝、８４：内側チューブ、８５：中間チューブ、８６：外側チューブ、８７：固定板部、８９：固定用フランジ部、９０：ボルト穴。
【図１】
0004522568.tif 000002
【図２】
0004522568.tif 000003
【図３】
0004522568.tif 000004
【図４】
0004522568.tif 000005
【図５】
0004522568.tif 000006
【図６】
0004522568.tif 000007
【図７】
0004522568.tif 000008
【図８】
0004522568.tif 000009
【図９】
0004522568.tif 000010
【図１０】
0004522568.tif 000011
【図１１】
0004522568.tif 000012